(57)【特許請求の範囲】
【請求項１】
画像を表示させたときの表示画面の横と縦の比を表す、所定のアスペクト比を有する表示部に、当該表示部のアスペクト比と異なるアスペクト比を持つことが可能な入力画像信号に応じた画像を表示し、上記表示部に表示した画像を、所定のアスペクト比を有するスクリーンに投射する投射型表示装置であって、
使用すべきスクリーンのアスペクト比を入力する入力手段と、
上記使用すべきスクリーンがとりえる複数の異なるアスペクト比に合わせた画像のサイズと、上記使用すべきスクリーンに投射されたときに、上記複数の異なるアスペクト比の各々に対応した画欠けしない画像の配置と、に関する複数の調整値を予め記憶している記憶手段と、
入力画像信号を受ける度に、当該受けた入力画像信号のアスペクト比を判別し、当該判別した入力画像信号のアスペクト比および上記入力手段から入力された上記使用すべきスクリーンのアスペクト比に応じて、上記複数の調整値の内から上記使用すべきスクリーン上に画欠けなしに画像を投射可能にする一の調整値を上記記憶手段から読み出し、当該読み出した調整値を制御信号として出力する制御手段と、
上記制御手段が出力した上記制御信号で指示された調整値に従って、上記入力画像信号の画素数を上記表示部のアスペクト比に合わせた画素数に変換して上記表示部に表示させる信号処理手段と、
を有する投射型表示装置。
【請求項２】
上記表示部は、離散的な画素構造を有する
請求項１記載の投射型表示装置。
【請求項３】
上記制御手段は、入力画像信号の水平同期信号および垂直同期信号に基づいて当該入力画像信号のアスペクト比を判別する
請求項１記載の投射型表示装置。
【請求項４】
上記制御手段は、入力画像信号の水平同期信号および垂直同期信号に基づいて当該入力画像信号のアスペクト比を判別する
請求項２記載の投射型表示装置。
【請求項５】
上記複数の調整値は、上記使用すべきスクリーンにおける、水平方向のサイズデータ、垂直方向のサイズデータ、水平方向の位置データ、および垂直方向の位置データを各々含む
請求項１記載の投射型表示装置。
【請求項６】
上記複数の調整値は、上記使用すべきスクリーンにおける、水平方向のサイズデータ、垂直方向のサイズデータ、水平方向の位置データ、および垂直方向の位置データを各々含む
請求項２記載の投射型表示装置。
【請求項７】
上記複数の調整値は、上記使用すべきスクリーンにおける、水平方向のサイズデータ、垂直方向のサイズデータ、水平方向の位置データ、および垂直方向の位置データを各々含む
請求項３記載の投射型表示装置。
【請求項８】
上記複数の調整値は、上記使用すべきスクリーンにおける、水平方向のサイズデータ、垂直方向のサイズデータ、水平方向の位置データ、および垂直方向の位置データを各々含む
請求項４記載の投射型表示装置。
【発明の詳細な説明】
【０００１】
【発明の属する技術分野】
本発明は、ＬＣＤ（Ｌｉｑｕｉｄ  Ｃｒｙｓｔａｌ  Ｄｉｓｐｌａｙ  Ｄｅｖｉｃｅ）等、離散的画素（固定画素）構造を有する投射型表示装置に関するものである。
【０００２】
【従来の技術】
たとえばＬＣＤ等、離散的な画素構造を有する投射型表示装置においては、入力信号と表示デバイスの縦横の画素数が異なる場合があることから、信号処理により画素数の変換を行う画素数変換機能を備えたスキャンコンバータを有している。
【０００３】
セット装置の表示デバイスと異なるアスペクト比（画面の横と縦の比）を持つ入力信号は、スキャンコンバータにより表示デバイス内に収まるように画素数変換されて投射される。
つまり、表示デバイスと同じアスペクト比の信号は、投射画面一杯に表示されるが、アスペクト比の異なる信号は、デバイスの表示範囲内に接するように縮小されて表示される。
【０００４】
【発明が解決しようとする課題】
ところで、上述した表示装置では、ユーザは、セット装置に種々のアスペクト比を持つ信号を入力する場合、セットの表示範囲全てが投射できるスクリーンを使用しないと、全ての信号を画欠けなく表示することができない。
そのため、表示デバイスのアスペクト比と異なる信号を主に使用した場合、その信号はスクリーンより小さい範囲に表示することになる。
また、この信号と同じアスペクト比のスクリーンを使用してスクリーン一杯に投射すると、他のアスペクト比の信号を入力した場合、画欠けすることになる。
【０００５】
以上のことについて、図１２、図１３、および図１４に関連付けてさらに詳細に説明する。
【０００６】
図１２は、表示パネルのアスペクト比が、たとえば表示解像度がＸＧＡ（ｅＸｔｅｎｄｅｄ  Ｇｒａｐｈｉｃｓ  Ａｒｒａｙ）に対応する４：３（画素数では１０２４×７６８）で、投射スクリーンもアスペクト比が４：３の場合に、５：４入力信号、４：３入力信号、および１６：９信号が入力された場合の表示状態を示す図である。
【０００７】
表示解像度がＳＸＧＡ（Ｓｕｐｅｒ  ＸＧＡ）に対応する５：４（画素数では１２８０×１０２４）入力信号の場合には、図１２（Ａ−１）および（Ｂ−１）に示すように、表示パネルＰＮＬ１およびスクリーンＳＣＲ１共に、左右に黒帯で５：４信号が表示される。
４：３入力信号の場合には、図１２（Ａ−２）および（Ｂ−２）に示すように、表示パネルＰＮＬ１およびスクリーンＳＣＲ１共に、画面一杯に４：３信号が表示される。
１６：９入力信号の場合には、図１２（Ａ−３）および（Ｂ−３）に示すように、表示パネルＰＮＬ１およびスクリーンＳＣＲ１共に、上下に黒帯で１６：９の信号が表示される。
【０００８】
このように４：３のアスペクト比の表示デバイスを持つセット装置で、１６：９のアスペクト比の入力信号を主に使用し、他のアスペクト比の信号も使用することがある場合、ユーザは４：３の信号が画欠けなく投射できるように配慮する必要がある。
この場合、上述したように、１６：９の信号を投射しているときは、スクリーンの上下に黒色の帯がでる。
【０００９】
図１３は、表示パネルのアスペクト比が、たとえばＸＧＡに対応する４：３（画素数では１０２４×７６８）で、投射スクリーンのアスペクト比が１６：９の場合に、５：４入力信号、４：３入力信号、および１６：９信号が入力された場合の表示状態を示す図である。
【００１０】
ＳＸＧＡに対応する５：４入力信号の場合には、図１３（Ａ−１）に示すように、表示パネルＰＮＬでは左右に黒帯で５：４信号が表示されるが、スクリーンＳＣＲ２では、図１３（Ｂ−１）に示すように、画面の上下がスクリーン外に投射され、画欠けする。
４：３入力信号の場合には、図１３（Ａ−２）に示すように、表示パネルＰＮＬ１の画面一杯に４：３信号が表示されるが、スクリーンＳＣＲ２では、図１３（Ｂ−２）に示すように、画面の上下がスクリーン外に投射され、画欠けする。
１６：９入力信号の場合には、図１３（Ａ−３）に示すように、表示パネルＰＮＬでは、画面の上下に黒帯で１６：９の信号が表示され、スクリーンＳＣＲ２では、図１３（Ｂ−３）に示すように、スクリ−ン一杯に１６：９信号が表示される。
【００１１】
このように４：３のアスペクト比の表示デバイスを持つセット装置で、アスペクト比が１６：９のスクリーンを使用して、１６：９のアスペクト比の入力信号を主に使用し、１６：９信号をスクリーン一杯に投射するように構成した場合、他のアスペクト比の５：４信号、および４：３信号は、単純には１６：９スクリーンに投射することができない。
【００１２】
この場合は、５：４信号、および４：３信号は、たとえばユーザが信号毎に、いわゆる水平方向のサイズデータ（Ｈ−ＳＩＺＥ）、垂直方向のサイズデータ（Ｖ−ＳＩＺＥ）、水平方向の位置データ（Ｈ−ＳＩＦＴ）、および垂直方向の位置データ（Ｖ−ＳＩＦＴ）を調整する必要がある。
【００１３】
たとえば５：４入力信号の場合、図１４（Ａ−１）および（Ｂ−１）に示すように、Ｈ−ＳＩＺＥ、Ｖ−ＳＩＺＥ、Ｈ−ＳＩＦＴ、Ｖ−ＳＩＦＴを調整して１６：９のスクリーンＳＣＲ２に画面全体が５：４で収まるように調整する。
また、４：３入力信号の場合、図１４（Ａ−２）および（Ｂ−２）に示すように、Ｈ−ＳＩＺＥ、Ｖ−ＳＩＺＥ、Ｈ−ＳＩＦＴ、Ｖ−ＳＩＦＴを調整して１６：９のスクリーンＳＣＲ２に画面全体が４：３で収まるように調整する。
【００１４】
このように、５：４信号、および４：３信号は、Ｈ−ＳＩＺＥ、Ｖ−ＳＩＺＥ、Ｈ−ＳＩＦＴ、およびＨ−ＶＩＦＴを調整することにより、１６：９スクリーンに画欠けなしに投射することができる。
【００１５】
しかしながら、従来の投射型表示装置では、表示デバイスのアスペクト比と同じアスペクト比を持つスクリーンを使用することを前提に、Ｈ−ＳＩＺＥ、Ｖ−ＳＩＺＥ、Ｈ−ＳＩＦＴ、およびＨ−ＶＩＦＴの初期値が与えられており、表示デバイスと異なるアスペクト比を持つスクリーンを使用する場合、入力信号毎にＨ−ＳＩＺＥ、Ｖ−ＳＩＺＥ、Ｈ−ＳＩＦＴ、およびＨ−ＶＩＦＴを調整しなければならない。
ユーザが、さらにアスペクト比の異なるスクリーンを使用する場合、再び、入力信号毎にＨ−ＳＩＺＥ、Ｖ−ＳＩＺＥ、Ｈ−ＳＩＦＴ、およびＨ−ＶＩＦＴを調整しなければならず、極めて煩雑な手間を要する。
【００１６】
本発明は、かかる事情に鑑みてなされたものであり、その目的は、煩雑な調整を要することなく、全ての入力信号に基づく画像が画欠けすることないにスクリーン上に表示することができる表示装置を提供することにある。
【００１７】
【課題を解決するための手段】
上記目的を達成するため、本発明は、画像を表示させたときの表示画面の横と縦の比を表す、所定のアスペクト比を有する表示部に、当該表示部のアスペクト比と異なるアスペクト比を持つことが可能な入力画像信号に応じた画像を表示し、上記表示部に表示した画像を、所定のアスペクト比を有するスクリーンに投射する投射型表示装置であって、使用すべきスクリーンのアスペクト比を入力する入力手段と、上記使用すべきスクリーンがとりえる複数の異なるアスペクト比に合わせた画像のサイズと、上記使用すべきスクリーンに投射されたときに、上記複数の異なるアスペクト比の各々に対応した画欠けしない画像の配置と、に関する複数の調整値を予め記憶している記憶手段と、入力画像信号を受ける度に、当該受けた入力画像信号のアスペクト比を判別し、当該判別した入力画像信号のアスペクト比および上記入力手段から入力された上記使用すべきスクリーンのアスペクト比に応じて、上記複数の調整値の内から上記使用すべきスクリーン上に画欠けなしに画像を投射可能にする一の調整値を上記記憶手段から読み出し、当該読み出した調整値を制御信号として出力する制御手段と、上記制御手段が出力した上記制御信号で指示された調整値に従って、上記入力画像信号の画素数を上記表示部のアスペクト比に合わせた画素数に変換して上記表示部に表示させる信号処理手段と、を有する投射型表示装置である。
【００１８】
また、本発明では、上記表示部は、離散的な画素構造を有する。
【００１９】
また、本発明では、上記制御手段は、入力画像信号の水平同期信号および垂直同期信号に基づいて当該入力画像信号のアスペクト比を判別する。
【００２０】
また、本発明では、上記複数の調整値は、上記使用すべきスクリーンにおける、水平方向のサイズデータ、垂直方向のサイズデータ、水平方向の位置データ、および垂直方向の位置データを各々含む。
【００２１】
本発明によれば、まず、入力手段により使用するスクリーンのアスペクト比が入力され、このスクリーンのアスペクト情報は制御手段に供給される。
制御手段では、入力画像信号のアスペクト比が、たとえばその水平同期信号および垂直同期に信号に基づいて判別される。そして、制御手段では、判別した入力画像信号のアスペクト比および使用するスクリーンのアスペクト比情報に基づいて、スクリーン上に画欠けなしに画像を投射可能にする調整値が記憶手段から読み出され、この調整値が制御信号として信号処理手段に供給される。
信号処理手段においては、制御信号で指示された調整値に従って、入力画像信号の画素数が表示部のアスペクト比に合わせた画素数に変換され、変換されて画像信号が表示部に表示される。
そして、この表示部の表示画像がスクリーン上に投射されるが、このとき、表示部のアスペクト比とスクリーンのアスペクト比が異なっていても、入力画像信号を受ける度に、スクリーンのアスペクト比に合わせた調整値で、画像の大きさおよび位置が調整されていることから、画欠けすることなく投射される。
【００２２】
【発明の実施の形態】
以下、図面を参照しながら本発明の実施形態について説明する。
【００２３】
図１は、本発明に係る投射型表示装置の画像信号処理システムの一実施形態を示すブロック図である。
図１では、デジタル信号処理により画素数変換を行っている液晶表示装置を用いた投射型表示装置の例を示している。
【００２４】
この表示装置１０は、図１に示すように、アナログ／デジタル（Ａ／Ｄ）変換器１１、信号処理回路１２、デジタル／アナログ（Ｄ／Ａ）変換器１３、ＬＣＤ駆動回路１４、駆動系を含むＬＣＤパネル１５、クロック発振回路１６、タイミングジェネレータ１７、入力手段としてのアスペクト比選択スイッチ１８、記憶装置１９、および制御手段としてのＣＰＵ２０により構成されている。
なお、本実施形態では、Ａ／Ｄ変換器１１、信号処理回路１２、Ｄ／Ａ変換器１３、およびＬＣＤ駆動回路１４により信号処理手段が構成される。
この表示装置１０においては、Ａ／Ｄ変換器１１と信号処理回路１２は、水平同期信号Ｈsyncおよび垂直同期信号Ｖsyncの入力端子ＴHVINから入力された水平同期ＨSYNCに同期して発振するクロック発振回路１６によるクロック信号ＣＬＫに同期して動作する。
また、信号処理回路１２、Ｄ／Ａ変換器１３、ＬＣＤ駆動回路１４、およびＬＣＤパネル１５は、タイミングジェネレータ１７により生成されるタイミング信号ＳＴＭに同期して動作する。
【００２５】
Ａ／Ｄ変換器１１は、入力端子ＴSIN に入力されたアナログ画像信号ＡＩＭをデジタル信号ＤＧ１１に変換して、信号処理回路１２に出力する。
【００２６】
信号処理回路１２は、入力したデジタル画像信号ＤＧ１１に対して、ホワイトバランス、コントラスト、ブライト、ガンマ補正、さらに、ＣＰＵ２０による制御信号Ｓ２０によって指示される投射画像のサイズおよび位置情報であるＨ−ＳＩＺＥ，Ｖ−ＳＩＺＥ，Ｈ−ＳＩＦＴ，およびＶ−ＳＩＺＥに基づき必要に応じた画素数変換処理を行い、デジタル信号ＤＳ１２としてＤ／Ａ変換器１３に出力する。
【００２７】
Ｄ／Ａ変換器１３は、信号処理回路１２によるデジタル信号ＤＳ１２をアナログ信号ＡＳ１３に変換して、ＬＣＤ駆動回路１４に出力する。
【００２８】
ＬＣＤ駆動回路１４は、Ｄ／Ａ変換器１３によりアナログ信号ＡＳ１３を受けてＬＣＤパネル１５を駆動して画像を表示させる。
【００２９】
表示部としてのＬＣＤパネル１５は、ＬＣＤ駆動回路１４により駆動され、入力アナログ画像データＡＩＭに応じた画像を表示する。
本実施形態においては、ＬＣＤパネル１５は、横と縦の比であるアスペクト比が、５：４（たとえば画素数が１２８０×１０２４のＳＸＧＡ対応）、４：３（たとえば画素数が１０２４×７６８のＳＸＧＡ対応）、または１６：９に設定される。
【００３０】
また、この投射型表示装置１０では、ＬＣＤパネル１５に表示された画像は、図２に示すように、たとえば図示しないメタルハライドランプを有する投射系の投射レンズ２１を介して、所定のアスペクト比（図２では１６：９）を持つスクリーン３０に投射される。
本実施形態においては、このスクリーンについても、アスペクト比が５：４、４：３、または１６：９のものが使用される。
【００３１】
タイミングジェネレータ１７は、自身でＬＣＤ駆動用水平同期信号ＨSYNCおよび垂直同期信号ＶSYNCを生成し、さらにタイミング信号ＳＴＭを生成して信号処理回路１２、Ｄ／Ａ変換器１３、ＬＣＤ駆動回路１４、およびＬＣＤパネル１５に供給する。
【００３２】
アスペクト比選択スイッチ１８は、入力信号に応じた画像が投射されるスクリーンのアスペクト比を選択するためのスイッチで、ユーザ等が使用されるスクリーンのアスペクト比を設定可能で、設定されたスクリーンのアスペクト比を信号Ｓ１８としてＣＰＵ２０に出力する。
本実施形態においては、上述したように、スクリーンはアスペクト比が５：４、４：３、または１６：９のものが使用されることから、アスペクト比選択スイッチ１８は少なくとも、「５：４」、「４：３」、および「１６：９」を選択できるように構成される。
【００３３】
記憶装置１９は、「５：４」、「４：３」、および「１６：９」の入力信号毎に、あらかじめ設定された、画像を投射するスクリーン３０の複数のアスペクト比に合わせた最適なＨ−ＳＩＺＥ（水平方向のサイズデータ）、Ｖ−ＳＩＺＥ（垂直方向のサイズデータ）、Ｈ−ＳＩＦＴ（水平方向の位置データ）、およびＶ−ＳＩＦＴ（垂直方向の位置データ）をそれぞれ記憶している。
【００３４】
ＣＰＵ２０は、同期信号入力端子ＴHVINから入力した水平同期信号Ｈsyncおよび垂直同期信号Ｖsyncを受けて、入力端子ＴSIN から入力されるアナログ信号ＡＩＭが５：４信号、４：３信号、１６：９信号のいずれの信号なのかを判別し、さらに、アスペクト比選択スイッチ１８の信号Ｓ１８が示す使用するスクリーンのアスペクト比の情報に基づいて、必要に応じて記憶装置１９から必要なＨ−ＳＩＺＥ、Ｖ−ＳＩＺＥ、Ｈ−ＳＩＦＴ、およびＶ−ＳＩＦＴを読み出して制御信号Ｓ２０として信号処理回路１２に出力する。
【００３５】
そして、ＣＰＵ２０は、入力信号がアスペクト比選択スイッチ１８の信号Ｓ１８が示す使用するスクリーンのアスペクト比と同じである場合には、たとえば信号処理回路１２に設定したＨ−ＳＩＺＥ、Ｖ−ＳＩＺＥ、Ｈ−ＳＩＦＴ、およびＶ−ＳＩＦＴ情報で画素数変換を行うように制御信号Ｓ２０を信号処理回路１２に出力する。
また、ＣＰＵ２０は、入力信号がアスペクト比選択スイッチ１８の信号Ｓ１８が示す使用するスクリーンのアスペクト比と異なる場合には、記憶装置１９から必要なＨ−ＳＩＺＥ、Ｖ−ＳＩＺＥ、Ｈ−ＳＩＦＴ、およびＶ−ＳＩＦＴを読み出して制御信号Ｓ２０として信号処理回路１２に出力し、設定する。
【００３６】
次に、上記構成による動作を説明する。
まず、ユーザがアスペクト比選択スイッチ１８により、使用するスクリーン３０のアスペクト比を選択する。
これにより、アスペクト比選択スイッチ１８から使用するスクリーン３０のアスペクト比を示す信号Ｓ１８がＣＰＵ２０に出力される。
【００３７】
そして、アナログ画像信号ＡＩＭが入力端子ＴSIN 介してＡ／Ｄ変換器１１に入力される。
Ａ／Ｄ変換器１１では、入力アナログ画像信号ＡＩＭがデジタル信号ＤＧ１１に変換されて、信号処理回路１２に出力される。
また、入力アナログ信号に係る水平同期信号ＨSYNCおよび垂直同期信号Ｖsyncが入力端子ＴHVINを介してＣＰＵ２０に入力される。
ＣＰＵ２０では、入力した水平同期信号Ｈsyncおよび垂直同期信号Ｖsyncに基づいて、入力端子ＴSIN から入力されるアナログ信号ＡＩＭが５：４信号、４：３信号、１６：９信号のいずれの信号なのかが判別される。
そして、ＣＰＵ２０においては、判別結果、およびアスペクト比選択スイッチ１８の信号Ｓ１８が示す使用するスクリーンのアスペクト比の情報に基づいて、記憶装置１９から、入力信号に対応して投射するスクリーン３０に合わせて設定されている必要なＨ−ＳＩＺＥ、Ｖ−ＳＩＺＥ、Ｈ−ＳＩＦＴ、およびＶ−ＳＩＦＴが読み出され、制御信号Ｓ２０として信号処理回路１２に出力される。
【００３８】
信号処理回路１２では、Ａ／Ｄ変換器１１から入力したデジタル画像信号ＤＧ１１に対して、ホワイトバランス、コントラスト、ブライト、ガンマ補正が行われ、さらに、ＣＰＵ２０による制御信号Ｓ２０によって指示されるスクリーンへの投射画像のサイズおよび位置情報であるＨ−ＳＩＺＥ，Ｖ−ＳＩＺＥ，Ｈ−ＳＩＦＴ，およびＶ−ＳＩＺＥに基づき、必要に応じた画素数変換処理が行われ、デジタル信号ＤＳ１２としてＤ／Ａ変換器１３に出力される。
【００３９】
Ｄ／Ａ変換器１３では、信号処理回路１２によるデジタル信号ＤＳ１２がアナログ信号ＡＳ１３に変換されてＬＣＤ駆動回路１４に供給される。
ＬＣＤ駆動回路１４においては、Ｄ／Ａ変換器１３によりアナログ信号ＡＳ１３を受けてＬＣＤパネル１５が駆動され、ＬＣＤパネル１５にスクリーン３０のアスペクト比に合わせた画像が表示される。
そして、ＬＣＤパネル１５に表示された画像は、図示しないメタルハライドランプを有する投射系の投射レンズ２１を介して、所定のアスペクト比を持つスクリーン３０に投射される。
【００４０】
次に、上述したように動作する投射型表示装置１０において、スクリーン３０のアスペクト比が変更になった場合、具体的に入力信号のアスペクト比毎にどのような表示を行うかを図３〜図１２に関連付けて順を追って説明する。
【００４１】
まず、ＬＣＤパネル１５のアスペクト比がＳＸＧＡに対応した５：４で、使用するスクリーン３０のアスペクト比が５：４、４：３、および１６：９の場合について、図３〜図５に関連付けて説明する。
【００４２】
図３は、ＬＣＤパネル１５のアスペクト比が５：４で、使用するスクリーン３０もアスペクト比が５：４の場合に、５：４入力信号、４：３入力信号、および１６：９信号が入力された場合の表示状態を示す図である。
この場合、アスペクト比選択スイッチ１８では、５：４が選択される。
この図３に示す例は、通常の使用方法を示している。
【００４３】
ＳＸＧＡに対応する５：４入力信号の場合には、図３（Ａ−１）および（Ｂ−１）に示すように、ＬＣＤパネル１５およびスクリーン３０共に、画面一杯に５：４信号が表示される。
４：３入力信号の場合には、図３（Ａ−２）および（Ｂ−２）に示すように、ＬＣＤパネル１５およびスクリーン３０共に、上下に黒帯で４：３の信号が表示される。
１６：９入力信号の場合には、図３（Ａ−３）および（Ｂ−３）に示すように、ＬＣＤパネル１５およびスクリーン３０共に、上下に黒帯で１６：９の信号が表示される。
【００４４】
図４は、ＬＣＤパネル１５のアスペクト比が５：４で、使用するスクリーン３０のアスペクト比が４：３の場合に、５：４入力信号、４：３入力信号、および１６：９信号が入力された場合の表示状態を示す図である。
この場合、アスペクト比選択スイッチ１８では、４：３が選択される。
この図４に示す例は、ＬＣＤパネル１５のアスペクト比が５：４で４：３信号を主に使用する場合の例である。
【００４５】
５：４入力信号の場合、ＣＰＵ２０において４：３スクリーンに合わせて設定されている５：４信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された５：４信号用Ｈ−ＳＩＺＥ、Ｖ−ＳＩＺＥ、Ｈ−ＳＩＦＴ、およびＶ−ＳＩＦＴ情報に基づいて、４：３スクリーンに合わせた画素数変換が行われる。
その結果、ＬＣＤパネル１５には、図４（Ａ−１）に示すように、５：４ＬＣＤパネルより小さい、左右上下に黒帯がでるような形態で５：４信号が表示され、スクリーン３０には、図４（Ｂ−１）に示すように、左右に黒帯で画欠けなく５：４信号が表示される。
【００４６】
４：３入力信号の場合、ＬＣＤパネル１５には、図４（Ａ−２）に示すように、上下に黒帯の４：３信号が表示され、スクリーン３０には、図４（Ｂ−２）に示すように、画面一杯に４：３信号が表示される。
１６：９入力信号の場合、図４（Ａ−３）および（Ｂ−３）に示すように、ＬＣＤパネル１５およびスクリーン３０共に、幅は異なるが上下に黒帯で１６：９の信号が表示される。
【００４７】
図５は、ＬＣＤパネル１５のアスペクト比が５：４で、使用するスクリーン３０のアスペクト比が１６：９の場合に、５：４入力信号、４：３入力信号、および１６：９信号が入力された場合の表示状態を示す図である。
この場合、アスペクト比選択スイッチ１８では、１６：９が選択される。
この図５に示す例は、ＬＣＤパネル１５のアスペクト比が５：４で１６：９信号を主に使用する場合の例である。
【００４８】
５：４入力信号の場合、ＣＰＵ２０において１６：９スクリーンに合わせて設定されている５：４信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された５：４信号用Ｈ−ＳＩＺＥ、Ｖ−ＳＩＺＥ、Ｈ−ＳＩＦＴ、およびＶ−ＳＩＦＴ情報に基づいて、１６：９スクリーンに合わせた画素数変換が行われる。
その結果、ＬＣＤパネル１５には、図５（Ａ−１）に示すように、５：４ＬＣＤパネルより小さい、左右上下に黒帯がでるような形態で５：４信号が表示され、スクリーン３０には、図５（Ｂ−１）に示すように、左右に黒帯で画欠けなく５：４信号が表示される。
【００４９】
同様に、４：３入力信号の場合、ＣＰＵ２０において１６：９スクリーンに合わせて設定されている４：３信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された４：３信号用Ｈ−ＳＩＺＥ、Ｖ−ＳＩＺＥ、Ｈ−ＳＩＦＴ、およびＶ−ＳＩＦＴ情報に基づいて、１６：９スクリーンに合わせた画素数変換が行われる。
その結果、ＬＣＤパネル１５には、図５（Ａ−２）に示すように、５：４ＬＣＤパネルより小さい、左右上下に黒帯がでるような形態で４：３信号が表示され、スクリーン３０には、図５（Ｂ−２）に示すように、左右に黒帯で画欠けなく４：３信号が表示される。
【００５０】
１６：９入力信号の場合、図５（Ａ−３）に示すように、上下に黒帯の４：３信号が表示され、スクリーン３０には、図５（Ｂ−３）に示すように、画面一杯に１６：９信号が表示される。
【００５１】
なお、上述した説明において、アスペクト比５：４のＬＣＤパネルで、調整値での入力信号が１６：９の場合には、ＬＣＤパネル１５上の表示方法は同じである。
【００５２】
次に、ＬＣＤパネル１５のアスペクト比がＸＧＡに対応した４：３で、使用するスクリーン３０のアスペクト比が５：４、４：３、および１６：９の場合について、図６〜図８に関連付けて説明する。
【００５３】
図６は、ＬＣＤパネル１５のアスペクト比が４：３で、使用するスクリーン３０のアスペクト比が５：４の場合に、５：４入力信号、４：３入力信号、および１６：９信号が入力された場合の表示状態を示す図である。
この場合、アスペクト比選択スイッチ１８では、５：４が選択される。
この図６に示す例は、ＬＣＤパネル１５のアスペクト比が４：３で５：４信号を主に使用する場合の例である。
【００５４】
５：４入力信号の場合、ＬＣＤパネル１５には、図６（Ａ−１）に示すように、左右に黒帯の５：４信号が表示され、スクリーン３０には、図６（Ｂ−１）に示すように、画面一杯に５：４信号が表示される。
【００５５】
４：３入力信号の場合、ＣＰＵ２０において５：４スクリーンに合わせて設定されている４：３信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された４：３信号用Ｈ−ＳＩＺＥ、Ｖ−ＳＩＺＥ、Ｈ−ＳＩＦＴ、およびＶ−ＳＩＦＴ情報に基づいて、５：４スクリーンに合わせた画素数変換が行われる。
その結果、ＬＣＤパネル１５には、図６（Ａ−２）に示すように、４：３ＬＣＤパネルより小さい、左右上下に黒帯がでるような形態で４：３信号が表示され、スクリーン３０には、図６（Ｂ−２）に示すように、上下に黒帯で画欠けなく４：３信号が表示される。
【００５６】
同様に、１６：９入力信号の場合、ＣＰＵ２０において５：４スクリーンに合わせて設定されている１６：９信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された１６：９信号用Ｈ−ＳＩＺＥ、Ｖ−ＳＩＺＥ、Ｈ−ＳＩＦＴ、およびＶ−ＳＩＦＴ情報に基づいて、５：４スクリーンに合わせた画素数変換が行われる。
その結果、ＬＣＤパネル１５には、図６（Ａ−３）に示すように、４：３ＬＣＤパネルより小さい、左右上下に黒帯がでるような形態で１６：９信号が表示され、スクリーン３０には、図６（Ｂ−３）に示すように、上下に黒帯で画欠けなく１６：９信号が表示される。
【００５７】
図７は、ＬＣＤパネル１５のアスペクト比が４：３で、使用するスクリーン３０もアスペクト比が４：３の場合に、５：４入力信号、４：３入力信号、および１６：９信号が入力された場合の表示状態を示す図である。
この場合、アスペクト比選択スイッチ１８では、４：３が選択される。
この図７に示す例は、通常の使用方法を示している。
【００５８】
５：４入力信号の場合、図７（Ａ−１）および（Ｂ−１）に示すように、ＬＣＤパネル１５およびスクリーン３０共に、左右に黒帯の５：４信号が表示される。
４：３入力信号の場合、図７（Ａ−２）および（Ｂ−２）に示すように、ＬＣＤパネル１５およびスクリーン３０共に、画面一杯に４：３の信号が表示される。
１６：９入力信号の場合、図７（Ａ−３）および（Ｂ−３）に示すように、ＬＣＤパネル１５およびスクリーン３０共に、上下に黒帯で１６：９の信号が表示される。
【００５９】
図８は、ＬＣＤパネル１５のアスペクト比が４：３で、使用するスクリーン３０のアスペクト比が１６：９の場合に、５：４入力信号、４：３入力信号、および１６：９信号が入力された場合の表示状態を示す図である。
この場合、アスペクト比選択スイッチ１８では、１６：９が選択される。
この図８に示す例は、ＬＣＤパネル１５のアスペクト比が４：３で１６：９信号を主に使用する場合の例である。
【００６０】
５：４入力信号の場合、ＣＰＵ２０において１６：９スクリーンに合わせて設定されている５：４信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された５：４信号用Ｈ−ＳＩＺＥ、Ｖ−ＳＩＺＥ、Ｈ−ＳＩＦＴ、およびＶ−ＳＩＦＴ情報に基づいて、１６：９スクリーンに合わせた画素数変換が行われる。
その結果、ＬＣＤパネル１５には、図８（Ａ−１）に示すように、４：３ＬＣＤパネルより小さい、左右上下に黒帯がでるような形態で５：４信号が表示され、スクリーン３０には、図８（Ｂ−１）に示すように、左右に黒帯で画欠けなく５：４信号が表示される。
【００６１】
同様に、４：３入力信号の場合、ＣＰＵ２０において１６：９スクリーンに合わせて設定されている４：３信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された４：３信号用Ｈ−ＳＩＺＥ、Ｖ−ＳＩＺＥ、Ｈ−ＳＩＦＴ、およびＶ−ＳＩＦＴ情報に基づいて、１６：９スクリーンに合わせた画素数変換が行われる。
その結果、ＬＣＤパネル１５には、図８（Ａ−２）に示すように、４：３ＬＣＤパネルより小さい、左右上下に黒帯がでるような形態で４：３信号が表示され、スクリーン３０には、図８（Ｂ−２）に示すように、左右に黒帯で画欠けなく４：３信号が表示される。
【００６２】
１６：９入力信号の場合、図８（Ａ−３）に示すように、上下に黒帯の１６：９信号が表示され、スクリーン３０には、図５（Ｂ−３）に示すように、画面一杯に１６：９信号が表示される。
【００６３】
次に、ＬＣＤパネル１５のアスペクト比がＷＸＧＡに対応した１６：９で、使用するスクリーン３０のアスペクト比が５：４、４：３、および１６：９の場合について、図９〜図１１に関連付けて説明する。
【００６４】
図９は、ＬＣＤパネル１５のアスペクト比が１６：９で、使用するスクリーン３０のアスペクト比が５：４の場合に、５：４入力信号、４：３入力信号、および１６：９信号が入力された場合の表示状態を示す図である。
この場合、アスペクト比選択スイッチ１８では、５：４が選択される。
この図９に示す例は、ＬＣＤパネル１５のアスペクト比が１６：９で５：４信号を主に使用する場合の例である。
【００６５】
５：４入力信号の場合、ＬＣＤパネル１５には、図９（Ａ−１）に示すように、左右に黒帯の５：４信号が表示され、スクリーン３０には、図９（Ｂ−１）に示すように、画面一杯に５：４信号が表示される。
【００６６】
４：３入力信号の場合、ＣＰＵ２０において５：４スクリーンに合わせて設定されている４：３信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された４：３信号用Ｈ−ＳＩＺＥ、Ｖ−ＳＩＺＥ、Ｈ−ＳＩＦＴ、およびＶ−ＳＩＦＴ情報に基づいて、５：４スクリーンに合わせた画素数変換が行われる。
その結果、ＬＣＤパネル１５には、図９（Ａ−２）に示すように、１６：９ＬＣＤパネルより小さい、左右上下に黒帯がでるような形態で４：３信号が表示され、スクリーン３０には、図９（Ｂ−２）に示すように、上下に黒帯で画欠けなく４：３信号が表示される。
【００６７】
同様に、１６：９入力信号の場合、ＣＰＵ２０において５：４スクリーンに合わせて設定されている１６：９信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された１６：９信号用Ｈ−ＳＩＺＥ、Ｖ−ＳＩＺＥ、Ｈ−ＳＩＦＴ、およびＶ−ＳＩＦＴ情報に基づいて、５：４スクリーンに合わせた画素数変換が行われる。
その結果、ＬＣＤパネル１５には、図９（Ａ−３）に示すように、４：３ＬＣＤパネルより小さい、左右上下に黒帯がでるような形態で１６：９信号が表示され、スクリーン３０には、図９（Ｂ−３）に示すように、上下に黒帯で画欠けなく１６：９信号が表示される。
【００６８】
図１０は、ＬＣＤパネル１５のアスペクト比が１６：９で、使用するスクリーン３０のアスペクト比が４：３の場合に、５：４入力信号、４：３入力信号、および１６：９信号が入力された場合の表示状態を示す図である。
この場合、アスペクト比選択スイッチ１８では、４：３が選択される。
この図１０に示す例は、ＬＣＤパネル１５のアスペクト比が１６：９で４：３信号を主に使用する場合の例である。
【００６９】
５：４入力信号の場合、ＬＣＤパネル１５には、図１０（Ａ−１）に示すように、左右に黒帯の５：４信号が表示され、スクリーン３０には、図１０（Ｂ−１）に示すように、左右に黒帯の５：４信号が表示される。
【００７０】
４：３入力信号の場合、図１０（Ａ−２）に示すように、左右に黒帯の４：３信号が表示され、スクリーン３０には、図１０（Ｂ−２）に示すように、画面一杯に４：３信号が表示される。
【００７１】
１６：９入力信号の場合、ＣＰＵ２０において４：３スクリーンに合わせて設定されている１６：９信号用Ｈ−ＳＩＺＥ、Ｖ−ＳＩＺＥ、Ｈ−ＳＩＦＴ、およびＶ−ＳＩＦＴ情報が記憶装置１９から読み出され、制御信号Ｓ２０として信号処理回路１２に供給される。
そして、信号処理回路１２では指示された１６：９信号用Ｈ−ＳＩＺＥ、Ｖ−ＳＩＺＥ、Ｈ−ＳＩＦＴ、およびＶ−ＳＩＦＴ情報に基づいて、４：３スクリーンに合わせた画素数変換が行われる。
その結果、ＬＣＤパネル１５には、図１０（Ａ−３）に示すように、４：３ＬＣＤパネルより小さい、左右上下に黒帯がでるような形態で１６：９信号が表示され、スクリーン３０には、図１０（Ｂ−３）に示すように、上下に黒帯で画欠けなく１６：９信号が表示される。
【００７２】
図１１は、ＬＣＤパネル１５のアスペクト比が１６：９で、使用するスクリーン３０のアスペクト比が１６：９の場合に、５：４入力信号、４：３入力信号、および１６：９信号が入力された場合の表示状態を示す図である。
この場合、アスペクト比選択スイッチ１８では、１６：９が選択される。
この図７に示す例は、通常の使用方法を示している。
【００７３】
５：４入力信号の場合、図１１（Ａ−１）および（Ｂ−１）に示すように、ＬＣＤパネル１５およびスクリーン３０共に、左右に黒帯の５：４信号が表示される。
４：３入力信号の場合、図１１（Ａ−２）および（Ｂ−２）に示すように、ＬＣＤパネル１５およびスクリーン３０共に、左右に黒帯の４：３の信号が表示される。
１６：９入力信号の場合、図１１（Ａ−３）および（Ｂ−３）に示すように、ＬＣＤパネル１５およびスクリーン３０共に、画面一杯に１６：９の信号が表示される。
【００７４】
以上説明したように、本実施形態によれば、入力したデジタル画像信号ＤＧ１１に対して、ホワイトバランス、コントラスト、ブライト、ガンマ補正、さらに、ＣＰＵ２０による制御信号Ｓ２０によって指示される投射画像のサイズおよび位置情報であるＨ−ＳＩＺＥ，Ｖ−ＳＩＺＥ，Ｈ−ＳＩＦＴ，およびＶ−ＳＩＺＥに基づき必要に応じた画素数変換処理を行う信号処理回路１０２と、入力信号に応じた画像が投射されるスクリーンのアスペクト比を設定可能で、設定されたスクリーンのアスペクト比を信号Ｓ１８としてＣＰＵ２０に出力するアスペクト比選択スイッチ１８と、入力信号毎に、あらかじめ設定された、画像を投射するスクリーン３０の複数のアスペクト比に合わせた最適なＨ−ＳＩＺＥ、Ｖ−ＳＩＺＥ、Ｈ−ＳＩＦＴ、およびＶ−ＳＩＦＴをそれぞれ記憶している記憶装置１９と、水平同期信号Ｈsyncおよび垂直同期信号Ｖsyncを受けて、入力端子ＴSIN から入力されるアナログ信号ＡＩＭが５：４信号、４：３信号、１６：９信号のいずれの信号なのかを判別し、さらに、アスペクト比選択スイッチ１８の信号Ｓ１８が示す使用するスクリーンのアスペクト比の情報に基づいて、必要に応じて記憶装置１９から必要なＨ−ＳＩＺＥ、Ｖ−ＳＩＺＥ、Ｈ−ＳＩＦＴ、およびＶ−ＳＩＦＴを読み出して制御信号Ｓ２０として信号処理回路１２に出力するＣＰＵ２０とを設けたので、ＬＣＤパネル１５のアスペクト比と異なるアスペクト比を持つスクリーン３０を使用する場合に、使用するスクリーン３０のアスペクト比を設定するだけで、全ての入力信号が画欠けすることなくスクリーン上に表示することができる。
また、ユーザは、ＬＣＤパネル１５のアスペクト比に関係なく、自分が主に使用する信号にアスペクト比に合わせたスクリーン３０を、他のアスペクト比を持つ信号入力時に調整なしに使用することができる。
【００７５】
なお、本実施形態では、ＬＣＤパネル１５およびスクリーン３０のアスペクト比を５：４、４：３、１６：９の３つの場合を例に説明したが、本発明が他のアスペクト比であっても適用できることはいうまでもない。
【００７６】
また、本実施形態では、表示デバイスとしてＬＣＤパネルを例に説明したが、本発明が他の表示デバイスであっても適用できることはいうまでもない。
【００７７】
【発明の効果】
以上説明したように、本発明によれば、表示部のアスペクト比と異なるアスペクト比を持つスクリーンを使用する場合に、使用するスクリーンのアスペクト比を設定するだけで、全ての入力信号が画欠けすることなくスクリーン上に表示することができる。
【００７８】
また、ユーザは、表示部のアスペクト比に関係なく、自分が主に使用する信号にアスペクト比に合わせたスクリーンを、他のアスペクト比を持つ信号入力時に調整なしに使用することができる利点がある。
【図面の簡単な説明】
【図１】本発明に係る投射型表示装置の画像信号処理システムの一実施形態を示すブロック図である。
【図２】本発明に係る投射型表示装置からスクリーンに画像を投射している状態を概念的に示す図である。
【図３】本発明に係る投射型表示装置において、ＬＣＤパネルのアスペクト比が５：４で、使用するスクリーンもアスペクト比が５：４の場合に、５：４入力信号、４：３入力信号、および１６：９信号が入力された場合の表示状態を示す図である。
【図４】本発明に係る投射型表示装置において、ＬＣＤパネルのアスペクト比が５：４で、使用するスクリーンのアスペクト比が４：３の場合に、５：４入力信号、４：３入力信号、および１６：９信号が入力された場合の表示状態を示す図である。
【図５】本発明に係る投射型表示装置において、ＬＣＤパネルのアスペクト比が５：４で、使用するスクリーンのアスペクト比が１６：９の場合に、５：４入力信号、４：３入力信号、および１６：９信号が入力された場合の表示状態を示す図である。
【図６】本発明に係る投射型表示装置において、ＬＣＤパネルのアスペクト比が４：３で、使用するスクリーンのアスペクト比が５：４の場合に、５：４入力信号、４：３入力信号、および１６：９信号が入力された場合の表示状態を示す図である。
【図７】本発明に係る投射型表示装置において、ＬＣＤパネルのアスペクト比が４：３で、使用するスクリーンもアスペクト比が４：３の場合に、５：４入力信号、４：３入力信号、および１６：９信号が入力された場合の表示状態を示す図である。
【図８】本発明に係る投射型表示装置において、ＬＣＤパネルのアスペクト比が４：３で、使用するスクリーンのアスペクト比が１６：９の場合に、５：４入力信号、４：３入力信号、および１６：９信号が入力された場合の表示状態を示す図である。
【図９】本発明に係る投射型表示装置において、ＬＣＤパネルのアスペクト比が１６：９で、使用するスクリーンのアスペクト比が５：４の場合に、５：４入力信号、４：３入力信号、および１６：９信号が入力された場合の表示状態を示す図である。
【図１０】本発明に係る投射型表示装置において、ＬＣＤパネルのアスペクト比が１６：９で、使用するスクリーンのアスペクト比が４：３の場合に、５：４入力信号、４：３入力信号、および１６：９信号が入力された場合の表示状態を示す図である。
【図１１】本発明に係る投射型表示装置において、ＬＣＤパネルのアスペクト比が１６：９で、使用するスクリーンのアスペクト比が１６：９の場合に、５：４入力信号、４：３入力信号、および１６：９信号が入力された場合の表示状態を示す図である。
【図１２】従来装置において、表示パネルのアスペクト比が４：３で、投射スクリーンもアスペクト比が４：３の場合に、５：４入力信号、４：３入力信号、および１６：９信号が入力された場合の表示状態を示す図である。
【図１３】従来装置において、表示パネルのアスペクト比が、４：３で、投射スクリーンのアスペクト比が１６：９の場合に、５：４入力信号、４：３入力信号、および１６：９信号が入力された場合の表示状態を示す図である。
【図１４】表示デバイスと異なるアスペクト比のスクリーンを使用する場合の従来装置の課題を説明するための図である。
【符号の説明】
１０…表示装置、１１…Ａ／Ｄ変換器、１２…信号処理回路、１３…Ａ／Ｄ変換器、１４…Ｄ／Ａ変換器、１４…ＬＣＤ駆動回路、１５…ＬＣＤパネル、１６…クロック発振回路、１７…タイミングジェネレータ、１８…アスペクト比選択スイッチ、１９…記憶装置、２０…ＣＰＵ、２１…投射レンズ、３０…スクリーン。
【図１】
0004547737.tif 000002
【図２】
0004547737.tif 000003
【図３】
0004547737.tif 000004
【図４】
0004547737.tif 000005
【図５】
0004547737.tif 000006
【図６】
0004547737.tif 000007
【図７】
0004547737.tif 000008
【図８】
0004547737.tif 000009
【図９】
0004547737.tif 000010
【図１０】
0004547737.tif 000011
【図１１】
0004547737.tif 000012
【図１２】
0004547737.tif 000013
【図１３】
0004547737.tif 000014
【図１４】
0004547737.tif 000015